(57)【要約】      （修正有）【課題】複数の流路構成から、製品の仕様に応じた流路構成を選択可能な弁装置を提供すること。【解決手段】平面部を有する一次側弁体ユニット７と、一次側弁体ユニット７の平面部に摺動可能に一次側弁体ユニット７に連結可能な二次側弁体ユニット８と、を備え、一次側弁体ユニット７又は二次側弁体ユニット８の摺動により、一次側弁体ユニット７又は二次側弁体ユニット８が連結された状態で吐水状態を切り替え可能な弁装置６であって、二次側弁体ユニット８は、平面部に対向する部分に形成され一次側弁体ユニット７からの水が通水可能な通水孔８２１，８２２と、通水孔８２１，８２２から延びる通水流路Ｆ１，Ｆ２と、を有する。【選択図】図６
2019044807.tif 000002
【特許請求の範囲】
【請求項１】
平面部を有する一次側弁体ユニットと、前記一次側弁体ユニットの前記平面部に摺動可能に前記一次側弁体ユニットに連結可能な二次側弁体ユニットと、を備え、前記一次側弁体ユニット又は前記二次側弁体ユニットの摺動により、前記一次側弁体ユニット及び前記一次側弁体ユニットが連結された状態で吐水状態を切り替え可能な弁装置であって、
前記二次側弁体ユニットは、前記平面部に対向する部分に形成され前記一次側弁体ユニットからの水が通水可能な通水孔と、前記通水孔から延びる通水流路と、を有する弁装置。
【請求項２】
前記一次側弁体ユニットは、連結部を備え、
前記二次側弁体ユニットは、前記一次側弁体ユニットの前記連結部に連結可能な被連結部を備える請求項１に記載の弁装置。
【請求項３】
前記一次側弁体ユニット及び前記二次側弁体ユニットは、前記連結部及び前記被連結部により着脱可能である請求項２に記載の弁装置。
【請求項４】
前記二次側弁体ユニットは、前記通水孔の周囲に配置されると共に前記一次側弁体ユニットの前記平面部に当接するパッキン部材と、前記パッキン部材が配置される樹脂製の二次側弁体本体と、を有する請求項１から３のいずれかに記載の弁装置。
【請求項５】
前記二次側弁体ユニットは、前記通水流路を少なくとも１つ以上備えることで、複数の異なる流路構成とすることが可能であり、
前記一次側弁体ユニットに前記二次側弁体ユニットを連結する場合に、前記二次側弁体ユニットは、前記複数の異なる流路構成を備える複数の二次側弁体ユニットから選択されることが可能である請求項１から４のいずれかに記載の弁装置。
【請求項６】
前記一次側弁体ユニットは、前記平面部を有するディスク部材を有し、
前記ディスク部材は、前記一次側弁体ユニット及び前記二次側弁体ユニットの非連結状態において、前記一次側弁体ユニットに回転可能に取り付けられる請求項１から５のいずれかに記載の弁装置。
【発明の詳細な説明】
【技術分野】
【０００１】
本発明は、一次側弁体ユニットと、一次側弁体ユニットに連結される二次側弁体ユニットと、を備える弁装置に関する。
【背景技術】
【０００２】
従来、弁体側開口を有する筒状のシリンダ弁体と、シリンダ弁体の外部に配置されケース側開口を有する筒状の弁ケースと、を備えるシリンダ式弁装置が知られている（例えば、特許文献１参照）。特許文献１に記載のシリンダ式弁装置は、シリンダ弁体の回転により、シリンダ弁体の周面に形成された弁体側開口と弁ケースの周面に形成されたケース側開口との重合状態において通水を行い、非重合状態において止水を行うことができる。
【先行技術文献】
【特許文献】
【０００３】
【特許文献１】特許第５７３２６６１号公報
【発明の概要】
【発明が解決しようとする課題】
【０００４】
特許文献１に記載のシリンダ弁装置は、筒状のシリンダ弁体の回転により通水及び止水を切り替えるように構成されており、流路構成の変更が難しい。ここで、製品の仕様に応じて流路構成が異なる場合がある。そのため、複数の流路構成から、製品の仕様に応じた流路構成を選択可能な弁装置が望まれている。
【０００５】
本発明は、複数の流路構成から、製品の仕様に応じた流路構成を選択可能な弁装置を提供することを目的とする。
【課題を解決するための手段】
【０００６】
本発明は、平面部（例えば、後述する摺動平面７５１ｂ）を有する一次側弁体ユニット（例えば、後述する一次側弁体ユニット７）と、前記一次側弁体ユニットの前記平面部に摺動可能に前記一次側弁体ユニットに連結可能な二次側弁体ユニット（例えば、後述する二次側弁体ユニット８）と、を備え、前記一次側弁体ユニット又は前記二次側弁体ユニットの摺動により、前記一次側弁体ユニット及び前記一次側弁体ユニットが連結された状態で吐水状態を切り替え可能な弁装置（例えば、後述するディスク式弁装置６）であって、前記二次側弁体ユニットは、前記平面部に対向する部分に形成され前記一次側弁体ユニットからの水が通水可能な通水孔（例えば、後述するシャワー側開口部８２１，カラン側開口部８２２）と、前記通水孔から延びる通水流路（例えば、後述するシャワー側通水流路Ｆ１，カラン側通水流路Ｆ２）と、を有する弁装置に関する。
【０００７】
また、前記一次側弁体ユニットは、連結部（例えば、後述する係止凹部７１３，７１４）を備え、前記二次側弁体ユニットは、前記一次側弁体ユニットの前記連結部に連結可能な被連結部（例えば、後述する係止凸部８１１，８１２）を備えることが好ましい。
【０００８】
また、前記一次側弁体ユニット及び前記二次側弁体ユニットは、前記連結部及び前記被連結部により着脱可能であることが好ましい。
【０００９】
また、前記二次側弁体ユニットは、前記通水孔の周囲に配置されると共に前記一次側弁体ユニットの前記平面部に当接するパッキン部材（例えば、後述するパッキン部材８５）と、前記パッキン部材が配置される樹脂製の二次側弁体本体（例えば、後述する二次側円筒状部材８１）と、を有することが好ましい。
【００１０】
また、前記二次側弁体ユニットは、前記通水流路を少なくとも１つ以上備えることで、複数の異なる流路構成とすることが可能であり、前記一次側弁体ユニットに前記二次側弁体ユニットを連結する場合に、前記二次側弁体ユニットは、前記複数の異なる流路構成を備える複数の二次側弁体ユニットから選択されることが可能であることが好ましい。
【００１１】
また、前記一次側弁体ユニットは、前記平面部を有するディスク部材を有し、前記ディスク部材は、前記一次側弁体ユニット及び前記二次側弁体ユニットの非連結状態において、前記一次側弁体ユニットに回転可能に取り付けられることが好ましい。
【発明の効果】
【００１２】
本発明によれば、複数の流路構成から、製品の仕様に応じた流路構成を選択可能な弁装置を提供することができる。
【図面の簡単な説明】
【００１３】
【図１】本発明の一実施形態としてのディスク式弁装置を備える水栓装置を示す斜視図である。
【図２】図１のＡ−Ａ線断面図であって、ディスク式弁装置の主な構成を示す縦断面図である。
【図３】ディスク式弁装置を示す斜視図である。
【図４】図３のＢ−Ｂ線断面図である。
【図５】図３のＣ−Ｃ線断面図である。
【図６】ディスク式弁装置を、一次側弁体ユニットと二次側弁体ユニットとに分離した状態を示す斜視図である。
【図７】ディスク式弁装置の一次側弁体ユニットをディスク部材側から見た斜視図である。
【図８】ディスク式弁装置の一次側弁体ユニットの分解斜視図である。
【図９】（ａ）は一次側弁体ユニットのディスク部材を示す平面図であり、（ｂ）は一次側弁体ユニットのディスク部材に対向して配置される二次側弁体ユニットを示す平面図である。
【図１０】一次側弁体ユニットの回転位置における一次側弁体ユニットのディスク部材の円盤開口部と二次側弁体ユニットのシャワー側開口部又はカラン側開口部との重なり状態を示す図である。
【図１１】ディスク式弁装置の二次側弁体ユニットの構成を変更した場合の構成例を示す図である。
【発明を実施するための形態】
【００１４】
以下、本発明の一実施形態の水栓装置１について、図面を参照しながら説明する。図１は、本発明の一実施形態としてのディスク式弁装置６を備える水栓装置１を示す斜視図である。本実施形態においては、水栓装置１を正面から見た場合に、カラン側吐水部３３１が配置される手前側を前側（正面側）といい、シャワー側吐水部３３２が配置される奥側を後側（背面側）という。水栓装置１を正面から見た場合において、左右の方向を左右方向という。
【００１５】
まず、本実施形態に係る水栓装置１の全体構成について説明する。
図１に示すように、水栓装置１は、水栓本体２と、水側クランク脚３１１と、湯側クランク脚３１２と、水側ハンドル３２１と、湯側ハンドル３２２と、カラン側吐水部３３１と、シャワー側吐水部３３２と、切替ハンドル４と、ディスク式弁装置６（弁装置）と、を含んで構成される。
【００１６】
本実施形態の水栓装置１は、２つのハンドル（水側ハンドル３２１及び湯側ハンドル３２２）を備える壁付けタイプの混合水栓である。水栓装置１は、２つのハンドル（水側ハンドル３２１及び湯側ハンドル３２２）により、水側クランク脚３１１及び湯側クランク脚３１２から供給される水と湯の混合比を調整し、切替ハンドル４を回転させることにより、吐水状態を切り替える。具体的には、水栓装置１は、切替ハンドル４を回転させることにより、止水状態と通水状態とを切り替えると共に、各吐水部（カラン側吐水部３３１、シャワー側吐水部３３２）からの吐水流量を調整する。
【００１７】
水栓本体２は、左右方向に延びる。水栓本体２は、左右方向に延びる箱状のハウジング２０により構成され、ハウジング２０の内部には、水側クランク脚３１１及び湯側クランク脚３１２を介して導入された水及び湯、混合された湯水が流通される。また、ハウジング２０の内部には、ディスク式弁装置６（後述）が配置される。
【００１８】
水側クランク脚３１１及び湯側クランク脚３１２は、水栓本体２のハウジング２０の背面における長手方向の両端部にそれぞれ接続される。本実施形態においては、水側クランク脚３１１は、図１における正面から見て右側の端部に接続され、湯側クランク脚３１２は、図１における正面から見て左側の端部に接続される。水側クランク脚３１１及び湯側クランク脚３１２は、一端部が水栓本体２の背面に接続され、他端部が浴室等の壁に固定される。
【００１９】
水側ハンドル３２１及び湯側ハンドル３２２は、水栓本体２のハウジング２０の上面における長手方向の両端部にそれぞれ設けられる。本実施形態においては、水側ハンドル３２１は、正面から見て右側の端部に接続され、湯側ハンドル３２２は、正面から見て左側の端部に接続される。水側ハンドル３２１の内部には、水側弁体（図示せず）が配置され、湯側ハンドル３２２の内部には、湯側弁体（図示せず）が配置される。水側ハンドル３２１及び湯側ハンドル３２２を回転させることにより、水及び湯の混合比を調整する。
【００２０】
カラン側吐水部３３１は、水栓本体２のハウジング２０の長手方向の略中央の下面から前方に延びて形成される。
シャワー側吐水部３３２は、水栓本体２のハウジング２０の背面における長手方向の略中央において水平方向に延出して下方に屈曲したシャワーエルボ３３２ａを有する。シャワーエルボ３３２ａには、シャワー部（図示せず）へ湯水を給水するためのチューブが接続される。
【００２１】
切替ハンドル４は、水栓本体２のハウジング２０の前面における長手方向の略中央において前側に配置される。切替ハンドル４は、水栓本体２に対して回動自在に設けられる。切替ハンドル４は、水栓本体２のハウジング２０の内部に配置されるディスク式弁装置６に接続される。水栓装置１の使用者は、切替ハンドル４の回転操作によって、カラン側吐水部３３１又はシャワー側吐水部３３２から吐水するかの切り替えを行うと共に、カラン側吐水部３３１及びシャワー側吐水部３３２からの吐水流量の調整を行う。
【００２２】
切替ハンドル４は、円筒状に形成される。切替ハンドル４の外周部には、止水時に上方側に突出する突出部４１が設けられる。本実施形態においては、突出部４１が上方側に突出して位置する場合には、止水状態であり、正面から見て右側に回動された場合に、カラン側吐水部３３１から湯水を吐水する吐水状態であり、正面から見て左側に回動された場合に、シャワー側吐水部３３２から湯水を吐水する吐水状態である。
【００２３】
ディスク式弁装置６は、図１に示すように、水栓本体２の長手方向の略中央において、水栓本体２のハウジング２０の内部に配置される。切替ハンドル４を回転させることで、ディスク式弁装置６の一次側弁体ユニット７（後述）を回転させることができる。ディスク式弁装置６の一次側弁体ユニット７を回転させることで、通水状態と止水状態とを切り替え可能である。また、ディスク式弁装置６は、通水状態において、カラン側吐水部３３１から吐水される吐水流量を調整でき、シャワー側吐水部３３２から吐水される吐水流量を調整できる。
【００２４】
次に、ディスク式弁装置６の詳細について説明する。
図２は、図１のＡ−Ａ線断面図であって、ディスク式弁装置６の主な構成を示す縦断面図である。図３は、ディスク式弁装置６を示す斜視図である。図４は、図３のＢ−Ｂ線断面図である。図５は、図３のＣ−Ｃ線断面図である。図６は、ディスク式弁装置６を、一次側弁体ユニット７と二次側弁体ユニット８とに分離した状態を示す斜視図である。図７は、ディスク式弁装置６の一次側弁体ユニット７をディスク部材７５側から見た斜視図である。図８は、ディスク式弁装置６の一次側弁体ユニット７の分解斜視図である。図９の（ａ）は一次側弁体ユニット７のディスク部材７５を示す平面図であり、（ｂ）は一次側弁体ユニット７のディスク部材７５に対向して配置される二次側弁体ユニット８を示す平面図である。図１０は、一次側弁体ユニット７の回転位置における一次側弁体ユニット７のディスク部材７５の円盤開口部７５２と二次側弁体ユニット８のシャワー側開口部８２１又はカラン側開口部８２２との重なり状態を示す図である。
【００２５】
ディスク式弁装置６は、図１に示すように、水栓本体２の長手方向の略中央において、水栓本体２のハウジング２０の内部に配置される。切替ハンドル４は、図２に示すように、ディスク式弁装置６に固定された係合部材１１に係合されている。切替ハンドル４を回転させることで、係合部材１１を介して、ディスク式弁装置６の一次側弁体ユニット７を回転させることができる。
【００２６】
ディスク式弁装置６は、図３〜図７に示すように、一次側弁体ユニット７と、二次側弁体ユニット８と、を有する。一次側弁体ユニット７及び二次側弁体ユニット８は、図６に示すように、それぞれ、ユニット化されて構成される。一次側弁体ユニット７は、切替ハンドル４の操作時に回転動作させることが可能な可動弁である。二次側弁体ユニット８は、回転せずに固定された固定弁である。ディスク式弁装置６は、一次側弁体ユニット７及び二次側弁体ユニット８が連結状態であると共に、一次側弁体ユニット７及び二次側弁体ユニット８の周面が、水栓本体２のハウジング２０に覆われた状態で、水栓装置１に設置される。
【００２７】
一次側弁体ユニット７は、回転軸Ｊを中心に回転可能に、二次側弁体ユニット８に連結可能である。本実施形態においては、ディスク式弁装置６は、一次側弁体ユニット７の摺動により、一次側弁体ユニット７及び二次側弁体ユニット８が連結された状態で吐水状態（通水状態又は止水状態）を切り替え可能である。また、ディスク式弁装置６は、通水状態において、カラン側吐水部３３１から吐水される吐水流量を調整でき、カラン側吐水部３３１から吐水される吐水流量を調整できる。
【００２８】
一次側弁体ユニット７は、図８に示すように、一次側円筒状部材７１と、弁軸部７２と、固定リング７３と、回転リング７４と、ディスク部材７５と、弾性部材７６と、固定クリップ７７と、一次側外周Ｏリング７８と、を有する。一次側円筒状部材７１、弁軸部７２、固定リング７３、回転リング７４、ディスク部材７５、弾性部材７６及び固定クリップ７７は、一次側弁体ユニット７の回転軸Ｊと同軸上に配置される。
【００２９】
一次側円筒状部材７１は、図８に示すように、円筒状に形成され、回転軸Ｊ方向に延びる。一次側円筒状部材７１は、樹脂製である。一次側円筒状部材７１には、６つの湯水流入開口７１１（流入開口）が形成される。一次側円筒状部材７１の外周面には、一次側外周Ｏリング７８が取り付けられている。
【００３０】
６つの湯水流入開口７１１（一部図示せず）は、図８に示すように、一次側円筒状部材７１の周方向に離間して並んで配置され、一次側円筒状部材７１の径方向に貫通して形成される。６つの湯水流入開口７１１は、３つの湯水流入開口７１１を一組として、周方向に離間して二組配置されている。６つの湯水流入開口７１１は、水側クランク脚３１１により水栓本体２のハウジング２０の内部に導入された水や、湯側クランク脚３１２により水栓本体２のハウジング２０の内部に導入された湯を、一次側弁体ユニット７の内部に流入させることが可能である。
【００３１】
固定リング７３は、図８に示すように、一次側円筒状部材７１の回転軸Ｊ方向に厚みを有した略円環状に形成される。固定リング７３は、一次側円筒状部材７１の回転軸Ｊ方向の前側において、一次側円筒状部材７１に固定される。固定リング７３は、径方向に突出する一対の固定突出部７３１と、一対の固定突出部７３１の内側において回転軸Ｊ方向の後側に窪む一対の係合凹部７３２と、を有する。
【００３２】
固定リング７３は、コイル状の弾性部材７６を一次側円筒状部材７１側に押し付けた状態で、一対の固定突出部７３１が、一次側円筒状部材７１の一対の係止溝７１２に嵌め込まれて固定される。一対の係合凹部７３２には、回転リング７４が回転することで、切替ハンドル４が止水位置に位置する場合に、回転リング７４の一対の係合凸部７４１（後述）が係合する。
【００３３】
回転リング７４は、図８に示すように、回転軸Ｊ方向に厚みを有した略円環状に形成される。回転リング７４は、内周縁に形成される係合凹部７４２において、弁軸部７２の軸部７２１の第２係合突出部７２１ｂが係合することで、弁軸部７２と一体的に回転する。回転リング７４は、軸方向の後側に突出する一対の係合凸部７４１を有する。回転リング７４が回転する際に、一対の係合凸部７４１が固定リング７３の一対の係合凹部７３２に係合することで、切替ハンドル４が止水位置に移動する際に、クリック感を生じさせることができる。
【００３４】
弁軸部７２は、図４、図５及び図８に示すように、軸部７２１と、軸部７２１の後側に配置されるディスク保持部７２２と、軸部７２１とディスク保持部材とを接続する４つの接続部材７２３と、を有する。
【００３５】
軸部７２１は、棒状に形成され、回転軸Ｊ方向に延びる。軸部７２１は、一次側円筒状部材７１、固定リング７３、回転リング７４、弾性部材７６及び固定クリップ７７を。回転軸Ｊ方向に貫通する。
【００３６】
軸部７２１は、図８に示すように、径方向に突出する第１係合突出部７２１ａ及び第２係合突出部７２１ｂと、クリップ固定溝７２１ｃと、を有する。第１係合突出部７２１ａは、軸部７２１の前側の端部に形成され、係合部材１１（図２参照）に係合する。第２係合突出部７２１ｂは、軸部７２１における第１係合突出部７２１ａよりも後側に形成され、回転リング７４の係合凹部７４２に係合する。
【００３７】
ディスク保持部７２２は、軸部７２１の径よりも大きな径の円環状に形成される。ディスク保持部７２２は、後側の端部において、ディスク部材７５を保持することで、ディスク部材７５を支持する。
【００３８】
４つの接続部材７２３は、軸部７２１の後側の端部と、ディスク保持部７２２の内周縁と、を接続する。４つの接続部材７２３は、周方向に所定幅を有し、周方向に離間して配置される。４つの接続部材７２３は、それぞれ、軸方向に切断した断面が略Ｌ字状に屈曲した形状に形成される。隣接する接続部材７２３の間には、弁軸部側流入開口７２４が形成される。弁軸部側流入開口７２４は、周方向に離間して、４つ形成される。４つの弁軸部側流入開口７２４を形成することで、弁軸部７２は、６つの湯水流入開口７１１を介して一次側弁体ユニット７に流入された水を、４つの弁軸部側流入開口７２４を介して、ディスク部材７５と弁軸部７２との間に流入可能に構成される。
【００３９】
固定クリップ７７は、略Ｃ字状に形成され、弁軸部７２の軸部７２１の先端側のクリップ固定溝７２１ｃに取り付けられる。固定クリップ７７は、弁軸部７２の軸部７２１に貫通して配置された固定リング７３及び回転リング７４を、弾性部材７６側に押し付けた状態で、弁軸部７２の軸部７２１に固定する。
【００４０】
ディスク部材７５は、弁軸部７２のディスク保持部７２２の回転軸Ｊ方向の後側の面に取り付けられる。ディスク部材７５は、円盤状に形成される。ディスク部材７５は、金属製である。本実施形態においては、ディスク部材７５は、例えば、ステンレスで形成される。なお、ディスク部材７５は、ステンレスに限定されない。例えば、ディスク部材７５は、金属製である場合には、チタン、アルミなどで形成してもよい。また、ディスク部材７５を、金属製ではなく、セラミック、樹脂材料などで形成してもよい。
【００４１】
ディスク部材７５は、図７及び図８に示すように、円盤部７５１と、一対の取り付け片７５３と、を有する。一対の取り付け片７５３は、円盤部７５１の外周において軸方向の弁軸部７２側に突出して形成される。一対の取り付け片７５３は、弁軸部７２のディスク保持部７２２の回転軸Ｊ方向の後側の端部において、ディスク保持部７２２に取り付けられる。ディスク部材７５は、ディスク保持部７２２に取り付けられた状態で、６つの湯水流入開口７１１を介して一次側弁体ユニット７にかかる水の水圧により、一次側円筒状部材７１に対して、二次側弁体ユニット８側に移動可能である。
【００４２】
円盤部７５１における弁軸部７２側の取付面７５１ａ及び弁軸部７２とは反対側の摺動平面７５１ｂ（平面部）は、図７及び図８に示すように、平面状に形成される。円盤部７５１における弁軸部７２とは反対側の摺動平面７５１ｂは、一次側弁体ユニット７に二次側弁体ユニット８が連結された場合に、二次側弁体ユニット８のパッキン部材８５が当接された状態で摺動される摺動面である。
【００４３】
円盤部７５１には、図９の（ａ）に示すように、円盤開口部７５２（一次側開口部）が形成される。円盤開口部７５２は、円盤部７５１の中心から径方向にずれた位置において、角部が丸みを帯びた略三角形状の三角形状開口７５２ａが２つ連続した形状に形成される。２つの三角形状開口７５２ａは、円盤部７５１の径方向に延びる仮想底辺７５２ｂを境界として、周方向における一方側及び他方側に対称に形成される。円盤開口部７５２は、仮想底辺７５２ｂに対して、周方向の一方側及び他方側に離間して配置される頂点７５２ｃを有する。２つの三角形状開口７５２ａは、頂点７５２ｃから仮想底辺７５２ｂに向かうに従って開口面積が徐々に大きくなる略三角形状に形成される。
【００４４】
円盤開口部７５２の三角形状開口７５２ａの外側の辺７５２ｄ（外周縁）は、ディスク部材７５の回転軸を中心とした円形形状に沿って形成されていない。本実施形態においては、円盤開口部７５２の三角形状開口７５２ａの外側の辺７５２ｄ（外周縁）は、円盤部７５１の円形状の外周縁７５１ｃに沿って形成されておらず、直線状に形成される。詳細には、円盤開口部７５２の三角形状開口７５２ａの外側の辺７５２ｄは、円盤部７５１の径方向に対して鋭角で交差する直線状に形成され、円盤部７５１の外周縁７５１ｃは、円形状に形成される。
【００４５】
二次側弁体ユニット８は、図４及び図５に示すように、一次側弁体ユニット７のディスク部材７５の摺動平面７５１ｂ（平面部）に摺動可能に、一次側弁体ユニット７に連結される。二次側弁体ユニット８は、図４〜図６に示すように、二次側円筒状部材８１（二次側弁体本体）と、パッキン部材８５と、を有する。
【００４６】
二次側円筒状部材８１は、図６に示すように、円筒状に形成され、一次側弁体ユニット７の回転軸Ｊ方向に延びる。二次側円筒状部材８１は、樹脂製である。二次側円筒状部材８１の外周面には、二次側外周第１Ｏリング８６及び二次側外周第２Ｏリング８７が取り付けられている。
【００４７】
二次側円筒状部材８１は、一次側弁体ユニット７と二次側弁体ユニット８とが連結される場合に、図６及び図７に示すように、２組の係止構造６１，６２により、一次側弁体ユニット７の一次側円筒状部材７１に係止される。２組の係止構造６１，６２は、一次側弁体ユニット７及び二次側弁体ユニット８の周面において軸方向に突出又は窪む係止部分により係止する構造である。本実施形態においては、２組の係止構造６１，６２は、一次側弁体ユニット７及び二次側弁体ユニット８の周方向に１８０°離間した位置に配置される。
【００４８】
一方の係止構造６１は、図６に示すように、一次側弁体ユニット７における一次側円筒状部材７１の係止凹部７１３（連結部、第２係止部）と、二次側弁体ユニット８における二次側円筒状部材８１の係止凸部８１１（被連結部、第１係止部）と、により構成される。
他方の係止構造６２は、図６及び図７に示すように、一次側弁体ユニット７における一次側円筒状部材７１の係止凹部７１４（連結部、第２係止部）と、二次側弁体ユニット８における二次側円筒状部材８１の係止凸部８１２（被連結部、第１係止部）と、により構成される。
【００４９】
２組の係止構造６１，６２において、係止凹部７１３，７１４は、一次側円筒状部材７１の周縁において、周方向に１８０°離間した位置に配置される。係止凹部７１３，７１４は、それぞれ、一次側円筒状部材７１の周面において、一次側円筒状部材７１の回転軸Ｊ方向の後側の端部から前側に窪む。係止凹部７１３，７１４は、周方向の所定幅を有すると共に回転軸Ｊ方向の後側の端部から方形状に窪む方形状凹部７１３ａ，７１４ａと、方形状凹部７１３ａ，７１４ａから回転軸Ｊ方向の前側に窪む台形状凹部７１３ｂ，７１４ｂと、が連続して形成される。台形状凹部７１３ｂ，７１４ｂは、方形状凹部７１３ａ，７１４ａ側の底辺が長い台形状に形成され、台形状凹部７１３ｂ，７１４ｂの方形状凹部７１３ａ，７１４ａ側には、方形状凹部７１３ａ，７１４ａよりも周方向の両側に三角形状に窪む三角形状窪み７１３ｃ，７１４ｃが形成される。
方形状凹部７１３ａ，７１４ａ及び台形状凹部７１３ｂ，７１４ｂは、一次側円筒状部材７１の周面において、回転軸Ｊ方向に延びて窪む。三角形状窪み７１３ｃ，７１４ｃは、一次側円筒状部材７１の周面において、方形状凹部７１３ａ，７１４ａ及び台形状凹部７１３ｂ，７１４ｂから回転軸Ｊ方向に交差する方向に窪む。
【００５０】
２組の係止構造６１，６２において、係止凸部８１１，８１２は、図６に示すように、二次側円筒状部材８１の周縁において、周方向に１８０°離間した位置に配置される。係止凸部８１１，８１２は、それぞれ、二次側円筒状部材８１の周面において、一次側円筒状部材７１の回転軸Ｊ方向の前側の端部から前側に延びる。係止凸部８１１，８１２は、周方向に所定幅を有すると共に回転軸Ｊ方向の前側の端部から前側に延出する方形状延出部８１１ａ，８１２ａと、方形状延出部８１１ａ，８１２ａから回転軸Ｊ方向の前側に延在する台形状延出部８１１ｂ，８１２ｂと、が連続して形成される。台形状延出部８１１ｂ，８１２ｂは、方形状延出部８１１ａ，８１２ａ側の底辺が長い台形状に形成され、台形状延出部８１１ｂ，８１２ｂの方形状延出部８１１ａ，８１２ａ側には、方形状延出部８１１ａ，８１２ａよりも周方向の両側に突出する三角形状突起８１１ｃ，８１２ｃが形成される。
方形状延出部８１１ａ，８１２ａ及び台形状延出部８１１ｂ，８１２ｂは、二次側円筒状部材８１の周面において、回転軸Ｊ方向に延びる。三角形状突起８１１ｃ，８１２ｃは、二次側円筒状部材８１の周面において、方形状延出部８１１ａ，８１２ａ及び台形状延出部８１１ｂ，８１２ｂから回転軸Ｊ方向に交差する方向に延びる。
【００５１】
以上のように構成される係止構造６１，６２においては、一次側弁体ユニット７と二次側弁体ユニット８とは、二次側円筒状部材８１の係止凸部８１１，８１２が一次側円筒状部材７１の係止凹部７１３，７１４に挿入されると共に、三角形状突起８１１ｃ，８１２ｃが三角形状窪み７１３ｃ，７１４ｃに引っ掛かった状態で、二次側円筒状部材８１の係止凸部８１１，８１２が一次側円筒状部材７１の係止凹部７１３，７１４に係止されることで、一次側弁体ユニット７と二次側弁体ユニット８とは係止される。
これにより、二次側円筒状部材８１の係止凸部８１１，８１２は、一次側円筒状部材７１の係止凹部７１３，７１４に連結可能である。また、一次側弁体ユニット７及び二次側弁体ユニット８は、一次側円筒状部材７１の係止凹部７１３，７１４及び二次側円筒状部材８１の係止凸部８１１，８１２により、着脱可能に構成される。
【００５２】
２組の係止構造６１，６２において、各係止構造６１，６２を構成する係止凹部７１３，７１４同士は、異なる形状であり、各係止構造６１，６２を構成する係止凸部８１１，８１２同士は、異なる形状である。
【００５３】
具体的は、２組の係止構造６１，６２において、図６に示すように、一次側弁体ユニット７における係止凹部７１３，７１４のうちの一方の係止凹部７１３には、組み込み防止凸部７１３ｄ（凸部）が形成される。組み込み防止凸部７１３ｄは、台形状凹部７１３ｂの回転軸Ｊ方向の前側の端辺から後側に突出する。なお、他方の係止凹部７１４には、組み込み防止凸部は形成されていない。
【００５４】
また、２組の係止構造６１，６２において、二次側弁体ユニット８における係止凸部８１１，８１２のうちの一方の係止凸部８１１には、図６に示すように、誤組み込み防止凹部８１１ｄが形成される。誤組み込み防止凹部８１１ｄは、一次側弁体ユニット７と二次側弁体ユニット８とを組み付ける際に、一次側弁体ユニット７における係止凹部７１３の誤組み込み防止凸部７１３ｄに嵌め込まれる。誤組み込み防止凹部８１１ｄは、台形状延出部８１１ｂの回転軸Ｊ方向の前側の端辺から後側に窪む。なお、他方の係止凸部８１２には、誤組み込み防止凹部は形成されていない。
【００５５】
これにより、一次側弁体ユニット７と二次側弁体ユニット８とを組み付ける場合に、二次側弁体ユニット８における係止凸部８１１の誤組み込み防止凹部８１１ｄは、一次側弁体ユニット７における係止凹部７１３の誤組み込み防止凸部７１３ｄにしか組み付けることができないため、一次側弁体ユニット７と二次側弁体ユニット８との誤組み付けを防止できる。
【００５６】
二次側円筒状部材８１は、図４〜図６、図９の（ａ）に示すように、シャワー側開口部８２１（通水孔）と、シャワー側開口部８２１から延びるシャワー側通水流路Ｆ１（通水流路）と、カラン側開口部８２２（通水孔）と、カラン側開口部８２２から延びるカラン側通水流路Ｆ２（通水流路）と、を有する。また、二次側円筒状部材８１は、図９の（ｂ）に示すように、パッキン配置溝８４１と、グリス溜まり８４２と、グリス供給溝８４３と、を有する。
【００５７】
シャワー側開口部８２１及びカラン側開口部８２２は、一次側弁体ユニット７と二次側弁体ユニット８とを連結させた場合に、一次側弁体ユニット７からの水が通水可能である。シャワー側開口部８２１及びカラン側開口部８２２は、図６及び図９の（ｂ）に示すように、二次側円筒状部材８１におけるディスク部材７５の摺動平面７５１ｂに対向する部分において、中心角を３分割した３つの円弧部分のうち、２つの円弧部分の内側に扇状に開口して形成される。シャワー側開口部８２１及びカラン側開口部８２２は、ディスク部材７５を回転させて重ねた場合に、ディスク部材７５の円盤開口部７５２と略同じ大きさ及び略同じ形状に形成される。ただし、シャワー側開口部８２１及びカラン側開口部８２２の外周縁は、円形状に形成されており、ディスク部材７５の円盤開口部７５２の外周縁が直線状に形成される点において異なる形状である。
【００５８】
シャワー側開口部８２１には、図６に示すように、シャワー側通水流路Ｆ１が接続されている。シャワー側通水流路Ｆ１は、図５及び図６に示すように、二次側円筒状部材８１を軸方向に平行な方向に貫通して形成される。シャワー側通水流路Ｆ１は、カラン側吐水部３３１（図１参照）に向けて、湯水を通水させる流路である。
【００５９】
カラン側開口部８２２には、図６に示すように、カラン側通水流路Ｆ２が接続されている。カラン側通水流路Ｆ２は、図４及び図６に示すように、二次側円筒状部材８１の軸方向の途中まで延び、二次側円筒状部材８１の軸方向の途中から径方向に貫通して形成される。カラン側通水流路Ｆ２は、カラン側吐水部３３１（図１参照）に向けて、湯水を流通させる流路である。
【００６０】
パッキン配置溝８４１は、図６及び図９の（ｂ）に示すように、シャワー側開口部８２１及びカラン側開口部８２２の周囲に形成される。パッキン配置溝８４１は、シャワー側開口部８２１及びカラン側開口部８２２の周囲の全部を囲むように、二次側円筒状部材８１におけるディスク部材７５に対向する部分に形成される。パッキン配置溝８４１は、図９の（ｂ）に示すように、中心角を３分割して形成される３つの扇形の部分のうち、２つの扇形の部分において、外形が扇形の２つの扇形環状溝８４１ａが周方向に並んで接続された状態で、１つに繋がって形成されている。パッキン配置溝８４１の２つの扇形環状溝８４１ａは、接続部分において、二次側円筒状部材８１の径方向に延びる溝を共通の溝として、周方向に隣接して接続される。パッキン配置溝８４１には、パッキン部材８５が配置される。
【００６１】
パッキン部材８５は、図６及び図９の（ｂ）に示すように、パッキン配置溝８４１に沿って配置されることで、シャワー側開口部８２１及びカラン側開口部８２２の周囲に配置される。パッキン部材８５は、一次側弁体ユニット７のディスク部材７５の摺動平面７５１ｂ（平面部）に当接して配置される。パッキン部材８５は、２つの扇形の扇形環状部分８５１が周方向に並んだ状態で、１つに繋がって形成される。パッキン部材８５の２つの扇形環状部分８５１は、接続部分において、二次側円筒状部材８１の径方向に延びる部分を共通部分として、周方向に隣接して接続される。
【００６２】
グリス溜まり８４２には、グリスが充填される。グリス溜まり８４２は、図６及び図９の（ｂ）に示すように、一次側弁体ユニット７と二次側弁体ユニット８とを連結させた場合に、二次側円筒状部材８１におけるディスク部材７５に対向する部分において、窪んで形成される。グリス溜まり８４２は、二次側円筒状部材８１における斜め上方側に形成される。グリス溜まり８４２は、二次側円筒状部材８１におけるディスク部材７５に対向する部分において、中心角を３分割した３つの円弧部分のうち、シャワー側開口部８２１及びカラン側開口部８２２が設けられた部分以外の部分において、円弧状に窪んで形成される。グリス溜まり８４２には、粘性のグリスが充填される。グリス溜まり８４２は、ディスク式弁装置６を水栓装置１に設置した場合に、二次側円筒状部材８１におけるディスク部材７５に対向する部分において、グリス供給溝８４３よりも斜め上方側に配置される。
【００６３】
グリス供給溝８４３は、グリス溜まり８４２とパッキン配置溝８４１とを接続する。グリス供給溝８４３は、二次側円筒状部材８１におけるディスク部材７５に対向する部分の中央近傍において、グリス溜まり８４２から斜め下方側に延びる。グリス溜まり８４２に充填されたグリスは、グリス供給溝８４３を通って、パッキン配置溝８４１に供給される。
【００６４】
以上のように構成されるディスク式弁装置６は、切替ハンドル４を回転操作することで、一次側弁体ユニット７が回転され、一次側弁体ユニット７に取り付けられたディスク部材７５が回転する。ディスク部材７５は、一次側弁体ユニット７に固定されているため、可動弁である一次側弁体ユニット７が回転することで、固定弁である二次側弁体ユニット８に対して回転する。図１０に示すように、ディスク部材７５は、円盤開口部７５２がグリス溜まり８４２に重なった状態で止水する止水位置（図１０の（ａ）参照）と、円盤開口部７５２が二次側弁体ユニット８のシャワー側開口部８２１に重なってシャワー側開口部８２１に連通するシャワー側位置（図１０の（ｂ）参照）と、円盤開口部７５２が二次側弁体ユニット８のカラン側開口部８２２に重なってカラン側開口部８２２に連通するカラン側位置（図１０の（ｃ）参照）と、に回転移動可能に構成される。
【００６５】
更に、シャワー側位置（図１０の（ｂ）参照）において、ディスク部材７５の回転角度を調整することで、円盤開口部７５２とシャワー側開口部８２１との重なりの程度を調整して、カラン側吐水部３３１から吐水される吐水流量を調整できる。また、カラン側位置（図１０の（ｃ）参照）において、ディスク部材７５の回転角度を調整することで、円盤開口部７５２とカラン側開口部８２２との重なりの程度を調整して、カラン側吐水部３３１から吐水される吐水流量を調整できる。
【００６６】
このように、一次側弁体ユニット７が回転することで、ディスク式弁装置６が止水位置（図１０の（ａ）参照）に位置する場合には、ディスク部材７５の摺動平面７５１ｂと、シャワー側開口部８２１及びカラン側開口部８２２の周囲に配置されるパッキン部材８５とにより、止水される。この状態においては、ディスク部材７５は、ディスク保持部７２２に取り付けられた状態で、６つの湯水流入開口７１１を介して一次側弁体ユニット７にかかる水の水圧により、一次側円筒状部材７１に対して、二次側弁体ユニット８側に移動する。これにより、一次側弁体ユニット７のディスク部材７５の摺動平面７５１ｂにパッキン部材８５に当接させて止水でき、一次側弁体ユニット７及び二次側弁体ユニット８を軸方向に長く形成しなくてよく、ディスク式弁装置６の長さ方向の長さをコンパクトに形成できる。
【００６７】
また、本実施形態においては、一次側弁体ユニット７は、摺動平面７５１ｂを有する円盤状のディスク部材７５を有し、ディスク部材７５は、金属製である。そのため、ディスク部材７５を樹脂材料で形成するよりも、例えば、ゴミの侵入があった場合であっても、ゴミなどによってディスク部材７５に傷が形成されることを低減できる。
【００６８】
また、グリス溜まり８４２に溜まったグリスは、ディスク部材７５が回転する際に、ディスク部材７５により、グリス供給溝８４３を通って、パッキン配置溝８４１に押し出される。これにより、パッキン配置溝８４１のグリスの量が減っても、グリス供給溝８４３を介して、パッキン配置溝８４１にグリスが持続的に供給される。これにより、パッキン配置溝８４１に配置されたパッキン部材８５と一次側弁体ユニット７のディスク部材７５の摺動平面７５１ｂとの摺動抵抗を、持続的に低減させることができる。
【００６９】
なお、ディスク式弁装置６が止水状態である場合に、図１０の（ａ）に示すように、グリス溜まり８４２がディスク部材７５の円盤開口部７５２に対向した状態で、シャワー側開口部８２１及びカラン側開口部８２２の周囲に配置されるパッキン部材８５は、ディスク部材７５に当接することで、シャワー側開口部８２１及びカラン側開口部８２２を閉鎖して止水する。これにより、ディスク式弁装置６が止水状態である場合において、シャワー側開口部８２１及びカラン側開口部８２２が閉鎖されているため、グリス溜まり８４２に充填されたグリスは、シャワー側開口部８２１及びカラン側開口部８２２を介して流出することが防止される。
【００７０】
また、ディスク部材７５の円盤部７５１の円盤開口部７５２は、頂点７５２ｃから仮想底辺７５２ｂに向かうに従って開口面積が徐々に大きくなる略三角形状に形成される。そのため、ディスク部材７５を回転して円盤開口部７５２を湯水が通過する面積が徐々に開放される。これにより、シャワー側開口部８２１及びカラン側開口部８２２には急激に湯水が通水されないため、ウォーターハンマー現象を低減できる。
【００７１】
また、円盤状のディスク部材７５の円盤開口部７５２の外側の辺７５２ｄは、ディスク部材７５の外周縁７５１ｃに沿って形成されていない。そのため、ディスク部材７５が円盤部７５１が回転した場合に、円盤開口部７５２の外側の辺７５２ｄは、パッキン部材８５の同じ部分に当たり続けずに、径方向の異なる部分に当接しながら移動する。これより、円盤開口部７５２の外側の辺７５２ｄは、パッキン部材８５の同じ部分に当たり続けずに径方向の位置が移動される。よって、パッキン部材８５の損傷を低減できる。
【００７２】
また、以上のように構成されるディスク式弁装置６においては、一次側弁体ユニット７に、二次側弁体ユニット８を連結できる。図１１は、ディスク式弁装置６の二次側弁体ユニット８の構成を変更した場合の構成例を示す図である。ここで、二次側弁体ユニット８Ａ，８Ｂ，８Ｃ，８Ｄを、通水流路を少なくとも１つ以上備えることで、図１１の（ａ）〜（ｄ）に示すように、複数の異なる流路構成とすることが可能である。そして、一次側弁体ユニット７に二次側弁体ユニット８を連結する場合に、二次側弁体ユニット８は、複数の異なる流路構成を備える複数の二次側弁体ユニット８Ａ，８Ｂ，８Ｃ，８Ｄから選択されることが可能である。具体的には、二次側弁体ユニットを以下のように構成して、これらの二次側弁体ユニットを適宜選択して、一次側弁体ユニット７に連結することが可能である。
【００７３】
詳細には、二次側円筒状部材８１の係止凸部８１１，８１２は、一次側円筒状部材７１の係止凹部７１３，７１４に連結可能に構成され、一次側弁体ユニット及び二次側弁体ユニットは、一次側円筒状部材７１の係止凹部７１３，７１４及び二次側円筒状部材８１の係止凸部８１１，８１２により、着脱可能に構成される。また、一次側弁体ユニット７及び二次側弁体ユニット８の非連結状態において、ディスク部材７５は、一次側弁体ユニット７に回転可能に取り付けられる。これにより、二次側弁体ユニット８がディスク部材７５を回転させるための構成を備える必要がなく、二次側弁体ユニット８は流路構成を備えればよいため、二次側弁体ユニット８を簡易な構造にできる。
【００７４】
例えば、図１１の（ａ）に示す二次側弁体ユニット８Ａは、水の流入方向に沿う方向（第１排出方向）に延びる通水流路Ｆ１０が１つ形成された流路ＯＮ／ＯＦＦ用の弁体である。二次側弁体ユニット８Ａを流路ＯＮ／ＯＦＦ用の弁体で構成することで、回転軸Ｊ方向の長さを小さくできる。また、二次側弁体ユニット８Ａを流路ＯＮ／ＯＦＦ用の弁体で構成した場合に、ＯＮ／ＯＦＦのみに切り替えるため、二次側弁体ユニット８Ａ側には、複数の流路を止水するパッキン部材を設けなくてもよい。そのため、二次側弁体ユニット８Ａ側にパッキン部材８５を設けずに、ディスク式弁装置６を収容する水栓本体２側にパッキン部材を設けてもよい。
【００７５】
また、図１１の（ｂ）に示す二次側弁体ユニット８Ｂは、前述の実施形態で説明した弁体と同様の流路構成であり、水の流入方向に沿う方向に延びる第１通水流路Ｆ１１と、出口側が水の流入方向に交差する方向に延びる第２通水流路Ｆ１２とが形成された、流路切替用の弁体である。
また、図１１の（ｃ）に示す二次側弁体ユニット８Ｃは、出口側が水の流入方向に交差する方向に延びる第２通水流路Ｆ１２が２つ形成された、流路切替用の弁体である。
また、図１１の（ｄ）に示す二次側弁体ユニット８Ｄは、水の流入方向に沿う方向に延びる第１通水流路Ｆ１１が２つ形成された、流路切替用の弁体である。
【００７６】
このように構成される二次側弁体ユニット８Ａ，８Ｂ，８Ｃ，８Ｄは、いずれも、係止凸部８１１，８１２を、一次側弁体ユニット７の係止凹部７１３，７１４に係止させることで、一次側弁体ユニット７に取り付けることができる。これにより、一次側弁体ユニット７を変更することなく、二次側弁体ユニット８Ａ，８Ｂ，８Ｃ，８Ｄを用途に応じて適宜選択して一次側弁体ユニット７に連結することで、異なる通水流路Ｆ１０，Ｆ１１，Ｆ１２を備えたディスク式弁装置６を構成することができる。
【００７７】
以上説明してきたように、本実施形態によれば、以下の効果が奏される。
本実施形態のディスク式弁装置６は、摺動平面７５１ｂを有する一次側弁体ユニット７と、一次側弁体ユニット７の摺動平面７５１ｂに摺動可能に一次側弁体ユニット７に連結可能な二次側弁体ユニット８と、を備え、一次側弁体ユニット７の摺動により、一次側弁体ユニット７及び二次側弁体ユニット８が連結された状態で吐水状態を切り替え可能なディスク式弁装置６であって、二次側弁体ユニット８は、摺動平面７５１ｂに対向する部分に形成され一次側弁体ユニット７からの水が通水可能なシャワー側開口部８２１，カラン側開口部８２２と、シャワー側開口部８２１，カラン側開口部８２２から延びるシャワー側通水流路Ｆ１，カラン側通水流路Ｆ２と、を有する。
そのため、異なる仕様の製品に対して、一次側弁体ユニット７を共通化して、二次側弁体ユニット８の通水流路を適宜変更することで、異なる仕様の製品に対応できる。これにより、異なる流路構成に対応できると共に、一次側弁体ユニット７を共通化できるため、製造コストを低減できる。また、一次側弁体ユニット７の摺動平面７５１ｂで止水できるため、一次側弁体ユニット７及び二次側弁体ユニット８を軸方向に長く形成しなくてよく、ディスク式弁装置６をコンパクトに形成できる。
【００７８】
また、本実施形態では、一次側弁体ユニット７は、係止凹部７１３，７１４を備え、二次側弁体ユニット８は、一次側弁体ユニット７の係止凹部７１３，７１４に連結可能な係止凸部８１１，８１２を備える。そのため、一次側弁体ユニット７及び二次側弁体ユニット８を連結させて、製品の仕様などに応じて流路構成を簡単に構成できる。
【００７９】
また、本実施形態では、一次側弁体ユニット７及び二次側弁体ユニット８は、係止凹部７１３，７１４及び係止凸部８１１，８１２により着脱可能である。そのため、一次側弁体ユニット７及び二次側弁体ユニット８を、係止凹部７１３，７１４及び係止凸部８１１，８１２により着脱することで、流路構成を簡単に変更できる。
【００８０】
また、本実施形態では、二次側弁体ユニット８は、シャワー側開口部８２１，カラン側開口部８２２の周囲に配置されると共に一次側弁体ユニット７の摺動平面７５１ｂに当接するパッキン部材８５と、パッキン部材８５が配置される樹脂製の二次側円筒状部材８１と、を有する。そのため、二次側弁体ユニット８を、樹脂製の二次側円筒状部材８１で形成することで、様々なバリエーションの通水流路を有する流路構成に簡単に形成できる。よって、製品の仕様などに応じて流路構成を簡単に変更したディスク式弁装置６を構成できる。
【００８１】
また、本実施形態では、二次側弁体ユニット８は、通水流路を少なくとも１つ以上備えることで、複数の異なる流路構成とすることが可能であり、一次側弁体ユニット７に二次側弁体ユニット８を連結する場合に、二次側弁体ユニット８は、複数の異なる流路構成を備える複数の二次側弁体ユニット８から選択されることが可能である。これにより、複数の二次側弁体ユニット８の異なる流路構成から、簡単に、流路構成を選択して、様々な流路構成に対向できる。
【００８２】
また、本実施形態では、ディスク部材７５は、一次側弁体ユニット７及び二次側弁体ユニット８の非連結状態において、一次側弁体ユニット７に回転可能に取り付けられる。これにより、二次側弁体ユニット８がディスク部材７５を回転させるための構成を備える必要がなく、二次側弁体ユニット８は流路構成を備えればよいため、二次側弁体ユニット８を簡易な構造にできる。
【００８３】
以上、本発明のディスク式弁装置６の好ましい一実施形態について説明したが、本発明は、上述の実施形態に制限されるものではなく、適宜変更が可能である。
例えば、前記実施形態では、ディスク式弁装置６は、一次側弁体ユニット７を可動弁として構成して、一次側弁体ユニット７の回転により通水状態と止水状態とを切り替え可能としたが、これに限定されず、二次側弁体ユニット８を可動弁として構成して、二次側弁体ユニット８の回転により通水状態と止水状態とを切り替え可能としてもよい。
【符号の説明】
【００８４】
６  ディスク式弁装置（弁装置）
７  一次側弁体ユニット
８  二次側弁体ユニット
８１  二次側円筒状部材（二次側弁体本体）
８５  パッキン部材
７１３，７１４  係止凹部（連結部）
７５１ｂ  摺動平面（平面部）
８１１，８１２  係止凸部（被連結部）
８２１  シャワー側開口部（通水孔）
８２２  カラン側開口部（通水孔）
Ｆ１  シャワー側通水流路（通水流路）
Ｆ２  カラン側通水流路（通水流路）
【図１】
2019044807.tif 000003
【図２】
2019044807.tif 000004
【図３】
2019044807.tif 000005
【図４】
2019044807.tif 000006
【図５】
2019044807.tif 000007
【図６】
2019044807.tif 000008
【図７】
2019044807.tif 000009
【図８】
2019044807.tif 000010
【図９】
2019044807.tif 000011
【図１０】
2019044807.tif 000012
【図１１】
2019044807.tif 000013